(57)【要約】【課題】本考案は、吸引力の強さとカッピングの時間の長さをコントロールできる吸引力調節式瞬間吸引カッピング装置を提供する。【解決手段】本考案の吸引力調節式瞬間吸引カッピング装置は、複数の真空タンクと、複数の吸気チューブを利用して真空タンクとそれぞれ接続して吸気することで真空タンクを負圧にする真空ポンプと、少なくとも１つの吸気チューブを用いて真空タンクと接続し、被施術者の皮膚と密着させて負圧になるまで吸気した後吸引力が発生してカッピングの目的を達成する少なくとも１つのカップと、複数組の電磁バルブであって、吸気チューブ上に設けられ各組の電磁バルブは真空タンクの両端にそれぞれ位置し、真空ポンプの起動および電磁バルブを開くことによって真空タンクの圧力を制御する複数組の電磁バルブとを含む。また、カップの口部分には弾性リングをさらに設け、被施術者の身体各部位や様々な形状の表面上にしっかりと密着する。【選択図】図１
0003173362.tif 000002
【実用新案登録請求の範囲】
【請求項１】
複数の真空タンクと、
複数の吸気チューブを用いて前記真空タンクとそれぞれ接続し、前記真空タンクが負圧になるまで吸気する真空ポンプと、
少なくとも１つの吸気チューブを用いて前記真空タンクと接続する少なくとも１つのカップと、
複数組の電磁バルブであり、前記吸気チューブ上に設けられ、各組の電磁バルブは前記真空タンクの両端にそれぞれ位置し、前記真空ポンプの起動および前記電磁バルブを開くことによって前記真空タンク内部の圧力を制御する複数組の電磁バルブと、
を含むことを特徴とする吸引力調節式瞬間吸引カッピング装置。
【請求項２】
前記真空ポンプと前記吸気チューブの接続箇所に設けられ、前記真空ポンプの圧力値を表示し、手動制御または調節式圧力スイッチによる自動制御で前記真空ポンプの起動・停止と前記電磁バルブの開閉を制御する第一圧力計をさらに含むことを特徴とする、請求項１に記載の吸引力調節式瞬間吸引カッピング装置。
【請求項３】
各前記カップ上部にそれぞれ設けられ、前記カップの圧力値を表示する複数の第二圧力計をさらに含むことを特徴とする、請求項１に記載の吸引力調節式瞬間吸引カッピング装置。
【請求項４】
前記真空タンクのサイズは同じまたは異なることを特徴とする、請求項１に記載の吸引力調節式瞬間吸引カッピング装置。
【請求項５】
前記カップの底部には弾性リングを設けて、前記カップと被施術者の皮膚の間の密着度を高めることを特徴とする、請求項１に記載の吸引力調節式瞬間吸引カッピング装置。
【請求項６】
前記カップは異なるサイズや底面積であることを特徴とする、請求項１に記載の吸引力調節式瞬間吸引カッピング装置。
【請求項７】
各組の電磁バルブは第一電磁バルブおよび第二電磁バルブからなり、前記第一電磁バルブは前記真空ポンプと前記真空タンクの間に設けられ、前記第二電磁バルブは前記真空タンクと前記カップの間に設けられることを特徴とする、請求項１に記載の吸引力調節式瞬間吸引カッピング装置。
【請求項８】
前記第一電磁バルブを開き前記真空ポンプを起動して前記真空タンクに対して吸気を行うことを特徴とする、請求項７に記載の吸引力調節式瞬間吸引カッピング装置。
【請求項９】
前記カップを被施術者のカッピングをしたい部位に載置し、前記第二電磁バルブを開いて前記カップ内の空気を吸引することを特徴とする、請求項７に記載の吸引力調節式瞬間吸引カッピング装置。
【請求項１０】
前記弾性リングは、シリコン、テフロン、ゴム、プラスチック等の密閉可能な軟質材料を採用して製造されたものであることを特徴とする、請求項５に記載の吸引力調節式瞬間吸引カッピング装置。
【考案の詳細な説明】
【技術分野】
【０００１】
本考案はカッピング装置に関するものであって、特に吸引力調節式瞬間吸引カッピング装置に関するものである。
【背景技術】
【０００２】
カッピング（別名「吸角、吸玉、抜罐」等）療法は、中国伝統医学の治療方法の１つのであり、古くは熱の力を借りて、カップ（罐）内を負圧にし、兪穴と呼ばれるツボまたはカッピングしたい部位の皮膚上にカップを吸着させ、局部充血または鬱血の現象を引き起こす一種の疾病治療の補助的方法である。現在カッピング方法は、火罐法と呼ばれるもの意外に、抽気法と呼ばれる吸気減圧方法があり、これは手動方式を用いてカップ内の空気を吸引し、カップを皮膚上に吸着させるものである。
【０００３】
中国医学は繊細な医学であり、カッピングは、個人の年齢、性別、病気の部位、身体組織の構造および痛みの程度に応じて、必要な吸引力の調節と制御を行うことで、過度の吸引による身体組織の不当な損傷、または吸引力不足によりカッピングの効果が得られないといった事態を回避しなければならない。
【０００４】
炎を用いてカップ内を負圧にする場合は、炎の大きさの制御は容易でないため、カッピングの吸引力を適切に調節および制御することができない。手動による吸気減圧法の場合、手によって徐々に吸気を進めて負圧を増加する必要があり、適切なタイミングでカッピングの吸引力を制御することができず、負担をかけ過ぎることがよくある。
両者は、長期に亘る多くの経験の積み重ねがあってはじめて適切なタイミングでカッピングの吸引力を適度に調節し、有効なカッピングの時間を維持できる。一般的に多くの場合、適度な吸引力を把握することが難しく、強すぎるのでなければ弱すぎてしまい、カッピングした患者の身体組織の損傷を招く、或いはカッピングの効果が得られない恐れがある。
【０００５】
また、現在のカッピング用のカップは、身体の平坦な部位に用いられるのに適しているだけである。平坦でない部位に対しては、カッピングを施術することができない、或いは口径がより小さいカップを選択する必要があり、カッピング部位の単位面積の圧力を増加させて身体組織の損傷を引起してしまう。
【考案の概要】
【考案が解決しようとする課題】
【０００６】
このため、上述の問題を克服すべく、本考案は、吸引力の強度およびカッピングの時間の制御に有効であり、カップの口に弾性リングを付け加えることで、カップの口を身体上の平坦でない表面部位にしっかり密着することができる吸引力調節式瞬間吸引カッピング装置を提案する。
【０００７】
本考案の主な目的は、異なるカッピング範囲および異なる吸引力を要する人体の各部位に適合し、カッピング時間の制御に有効である吸引力調節式瞬間吸引カッピング装置を提供することである。
【０００８】
本考案のもう１つの目的は、複数の真空タンクを設置し、各真空タンクの両端にそれぞれ電磁バルブを設け、先に真空ポンプ側の第一電磁バルブを開いて真空ポンプ内が設定した圧力値に達するまで吸気した後、真空ポンプを停止し第一電磁バルブを閉め、次にカップ側の第二電磁バルブを開き、カップ内に相応の圧力による吸引力を生じさせて、カッピングの効果を達成する吸引力調節式瞬間吸引カッピング装置を提供することである。
【０００９】
本考案のさらなる目的は、カップ上に設置した圧力計により、使用者は表示された圧力に変化に基づいて、カッピングの時間を制御できる吸引力調節式瞬間吸引カッピング装置を提供することである。
【００１０】
本考案の別のさらなる目的は、カップ上に弾性リングを備えて、カップの口を身体上の様々な表面の部位にしっかり密着させる吸引力調節式瞬間吸引カッピング装置を提供することである。
【課題を解決するための手段】
【００１１】
上述の目的を達成するため、本考案の提供する吸引力調節式瞬間吸引カッピング装置は、複数の真空タンク、真空ポンプ、複数組の電磁バルブおよび少なくとも１つのカップを含む。真空ポンプは複数の吸気チューブを用いてそれぞれ真空タンクと接続し、真空タンクが負圧になるまで吸気する。カップは、少なくとも１つの吸気チューブを用いて各真空タンクと接続し、カップと被施術者の皮膚を密着させ、負圧に達するまで内部の空気を吸引した後、カップに吸引力が発生して被施術者の皮膚に吸着し、カッピングの目的が達成される。電磁バルブは吸気チューブ上に設け、各組の電磁バルブはそれぞれ真空タンクの両端に位置し、真空ポンプの起動および電磁バルブを開くことによって真空タンクの圧力を制御し、同時に、圧力計を用いて圧力が設定置に達したか否かを確認する。カッピング終了後にも同様にカップ上の圧力計を確認することで圧力が適切でカップを外してよい範囲まで低下したか否かを判断する。また、カップの口の部分には弾性リングを設け、被施術者の様々に異なる形状の身体部位および様々に異なる平滑度の表面上にしっかり密着させるようにする。
【考案の効果】
【００１２】
本考案が提供する吸引力調節式瞬間吸引カッピング装置は、電磁バルブを用いて複数の同じまたは異なるサイズの真空タンク内部の圧力を制御する。真空タンクとカップを連通させることで、カップの吸引力の大きさを制御し、カップの圧力の変化に基づいてカッピングの時間を制御し、適切な圧力範囲にあるとき、カップを外すようにする。
このため、本考案の吸引力調節式瞬間吸引カッピング装置を利用してカッピングを行うことは、吸引力の強度およびカッピングの時間の長さを制御し、吸引力が強すぎたり時間が長すぎたりするために被施術者の身体が損傷する、或いは吸引力不足や時間不足のためにカッピングの効果が得られないといった事態を回避するのに有効である。
【図面の簡単な説明】
【００１３】
【図１】本考案の吸引力調節式瞬間吸引カッピング装置を示す図。
【図２ａ】本考案中のカップの弾性リングの側面断面図。
【図２ｂ】本考案中のカップの弾性リングの平面図。
【図２ｃ】本考案中のカップの弾性リングの底面図。
【考案を実施するための形態】
【００１４】
本考案の目的、技術内容、特徴および達成される効果の更なる理解と認識のため、具体的に実施例を挙げて以下に詳細を説明する。
【実施例】
【００１５】
本考案が提供する吸引力調節式瞬間吸引カッピング装置は、異なる病状に基づき、人体の各部位、異なる接触面積および異なる吸引力の強度のカッピングに適用できる。
【００１６】
図１は本考案の構造を示す図である。本考案の吸引力調節式瞬間吸引カッピング装置は、真空ポンプ１０、複数の真空タンク１２、少なくとも１つのカップ１４、複数組の電磁バルブ２０および複数の圧力計を含む。真空ポンプ１０と真空タンク１２の間は吸気チューブ１６により接続し、真空タンク１２に対して負圧になるまで吸気し、真空タンク１２とカップ１４の間もまた吸気チューブ１８で接続する。各組の電磁バルブ２０は全て真空タンク１２の両端の吸気チューブ上に設け、真空ポンプ１０と真空タンク１２の間に位置する吸気チューブ１６上に設けるのは第一電磁バルブ２０ａであり、真空タンク１２とカップ１４の間に位置する吸気チューブ１８上に設けるのは第二電磁バルブ２０ｂである。真空ポンプ１０を起動し電磁バルブ２０を開くことによって真空タンク１２の圧力を制御し、真空タンク１２の圧力を調整した後、カップ１４に相応の吸引力が生じる。
【００１７】
カップ１４は異なるサイズ、底面積の複数のカップであり、例えば、より大きい底面積のカップを使用する背部やより小さい底面積のカップを使用する比較的細い腕のような異なる部位に応用できる。カップ１４の底部には弾性リング１４２を設け、カップ１４と被施術者の皮膚の間の密着度を増加させる。この弾性リング１４２は、、シリコン、テフロン（登録商標）、ゴム、プラスチック等の密閉可能な軟質材料を採用して製造されたものである。
【００１８】
真空ポンプ１０と吸気チューブ１６の接続箇所には第一圧力計２４を設け、真空ポンプ１０および真空タンク１２の圧力値を表示するのに用いる。各カップ１４上にそれぞれ第二圧力計２６を設け、カップ１４の圧力値を表示するのに用いる。
【００１９】
本考案の吸引力調節式瞬間吸引カッピング装置を使用してカッピングを施術するときは、まず被施術者のカッピングしたい部位、カップのサイズおよび吸引力の強度（吸気の圧力値）を選定し、続いて真空ポンプ１０を起動して第一電磁バルブ２０ａを開き、複数の真空タンク１２が一定の負圧に達するようにし、この負圧は予め選定した圧力値であり、第一圧力計２４で現在の圧力を確認し、吸気して前記負圧まで達した後、真空ポンプ１０を停止し第一電磁バルブ２０ａを閉める。次に、適合するカップ１４を吸気チューブ１８に接続し、カッピングしたい部位に載置した後、１つの第二電磁バルブ２０ｂを開くこと或いは同時に複数の第二電磁バルブ２０ｂを開くことを選択し、カップ１４内の空気が、負圧になるまで吸気される真空タンク１２中に流れるようにする。
このため、カップ１４では第二電磁バルブ２０ｂを開いたとき瞬間的に吸引力が発生し、被施術者の患部に対してカッピングが開始される。カッピング後、カップ１４上の第二圧力計２６の表示により圧力が適切な範囲まで下げられたことを確認してから、カップ１４を外すことで、有効なカッピング時間を制御できる。このように、負圧の圧力値が第一圧力計２４および電磁バルブ２０によって制御されるので、安全なカッピングという目的が達成でき、過度の吸引により身体組織が損傷したり、吸引力不足によりカッピングの効果が得られないという事態が起きなくなり、第二圧力計２６の圧力表示によってカッピング時間を制御できる。
【００２０】
図２ａ、図２ｂ、および図２ｃはそれぞれ本考案中のカップに設けた弾性リングの側面断面図、平面図、および底面図である。図２ａ、図２ｂ、および図２ｃを同時に参照されたい。弾性リング１４２の上下両端の開口の厚みは異なり、より厚い開口はカップ口を取り巻き、下方のより薄い開口は被施術者の皮膚に密着させ、弾性リング１４２の中段部分は円心に向かって突出した係止部１４４であり、カップの口は係止部１４４で係止される。
【００２１】
上述では本考案の好ましい実施例を開示したに過ぎず、本考案の実施範囲を限定するものではない。従って、本考案の精神と領域を脱しない範囲内で加えた形状、構造、特徴など各種の変更や潤色は全て、本考案の実用新案登録請求の範囲内に含まれる。
【符号の説明】
【００２２】
１０    真空ポンプ
１２    真空タンク
１４    カップ
１４２  弾性リング
１４４  係止部
１６    吸気チューブ
１８    吸気チューブ
２０    電磁バルブ
２０ａ  第一電磁バルブ
２０ｂ  第二電磁バルブ
２４    第一圧力計
２６    第二圧力計
【図１】
0003173362.tif 000003
【図２ａ】
0003173362.tif 000004
【図２ｂ】
0003173362.tif 000005
【図２ｃ】
0003173362.tif 000006